(57)【要約】      （修正有）【課題】保守を容易にする構造を有し、街灯など主として屋外で使用する照明器具を提供する。【解決手段】台座１１と、台座の一側に固定される筐体１３と、筐体内に設置される光検出モジュール１２と、台座１１の他側に固定され、また、光検出モジュール１２に電気的に接続される発光モジュール１４と、台座に固定され、光検出モジュール１２と発光モジュール１４に電気的に接続される電源１７と、筐体、及び、電源を覆うカバー１６と、を含む。光検出モジュールで外部環境が一定の輝度を下回ったことを検出すると、発光モジュールをオンにすることで、十分な照明光源を提供できる。保守を行おうとする時、カバーを開くと、光検出モジュール、或いは、電源の交換、又は、修理を行うことができる。【選択図】図２
0003182482.tif 000002
【実用新案登録請求の範囲】
【請求項１】
台座と、
前記台座の一側に固定される筐体と、
前記筐体内に設置される光検出モジュールと、
前記台座の他側に固定され、また、前記光検出モジュールに電気的に接続される発光モジュールと、
前記台座に固定され、且つ、前記筐体と同じ側に位置し、前記光検出モジュールと前記発光モジュールに電気的に接続される電源と、
前記台座に固定され、前記筐体、及び、前記電源を覆うカバーと、を含むことを特徴とする照明器具。
【請求項２】
前記筐体は、光透過型筐体であることを特徴とする請求項１に記載の照明器具。
【請求項３】
前記発光モジュールは、前記台座に固定される回路板と等間隔で前記回路板に設置される複数の発光素子とを備えた光源モジュールと、前記光源モジュールを覆い、個別に各前記発光素子に対応する複数レンズを備えたレンズモジュールとを含むことを特徴とする請求項１に記載の照明器具。
【請求項４】
前記台座に通気孔が貫設され、また一方向の防水シートで覆うことを特徴とする請求項２に記載の照明器具。
【請求項５】
前記台座と前記レンズモジュールの間に設置されるウェザーストリップを更に含むことを特徴とする請求項２に記載の照明器具。
【請求項６】
前記台座に締め付けられる支持金具を更に含むことを特徴とする請求項１に記載の照明器具。
【請求項７】
前記光検出モジュールは、光センサーと光検出回路板とを含み、前記光センサーが前記光検出回路板に電気的に接続されることを特徴とする請求項１に記載の照明器具。
【請求項８】
前記カバーは、前記筐体に対応する貫通孔を備えることを特徴とする請求項１に記載の照明器具。
【請求項９】
前記貫通孔内に貫設されるレンズを更に含むことを特徴とする請求項８に記載の照明器具。
【請求項１０】
前記筐体内に設置される雷害防止装置を更に含むことを特徴とする請求項１に記載の照明器具。
【考案の詳細な説明】
【技術分野】
【０００１】
本考案は、照明器具に関し、特に、道路灯、防犯灯、街灯、或いは庭園灯として使用できる照明器具に関する。
【背景技術】
【０００２】
近年、発光ダイオード（ｌｉｇｈｔ−ｅｍｉｔｔｉｎｇ  ｄｉｏｄｅ、ＬＥＤ）が発展し、且つ環境配慮、省エネという考え方に基づき、大部分の照明装置、灯器において、徐々にＬＥＤライトが従来の電球或いは水銀管球に取って代わり始めた。
【０００３】
また日本において、近年公園等の場所に防犯灯と呼ばれる補助照明の設置推進が開始されている。この種の屋外照明に使用される防犯灯は、主に一定範囲内の路面に十分な明るさを提供し、この範囲内の歩行者の服装、挙動、或いは姿勢等がはっきりと見えるため、犯罪を抑止する効果を奏する。
【０００４】
防犯灯は、その大半が公園或いは庭園等の屋外場所に設置されるため、筐体は一定の防水機能を備え、風、日射、雨に曝され後に照明器具の損壊を避ける。よって、筐体の設計は大半が密着させて締め付けるものを主としているが、この種の方式は後日の保守に不便が生じてしまう。その他に、環境光源が不足した際に路面の明るさを十分確保したい場合、環境光源が一定の輝度を下回ったことを検出した時、照明機能をオンにできなければならない。
【考案の概要】
【考案が解決しようとする課題】
【０００５】
上記従来技術の問題点に鑑み、鋭意研究を重ねた結果、以下の考案を完成するに至った。
【課題を解決するための手段】
【０００６】
照明器具であって、台座と、台座の一側に固定される筐体と、筐体内に設置される光検出モジュールと、台座の他側に固定され、また光検出モジュールに電気的に接続される発光モジュールと、台座に固定され、且つ筐体と同じ側に位置し、光検出モジュールと発光モジュールに電気的に接続される電源と、台座と筐体の同じ側に固定され、また筐体及び電源を覆うカバーと、を含む。
【０００７】
上記の構造を通じて、光検出モジュールで外部環境が一定の輝度を下回ったことを検出すると、発光モジュールをオンにすることで、十分な照明光源を提供できる。また光検出モジュールを筐体内に設置することで、光検出モジュールが環境の気候影響を受けて起きる損壊を防止できる。保守を行おうとする時、カバーを開くと、光検出モジュール或いは電源の交換又は修理を行うことができる。カバーを開かない状況でも、発光モジュールを取り外して交換又は保守できるため、後日の保守の利便性を向上できる。
【０００８】
筐体は光透過型筐体とすることができ、筐体内に設置される光検出モジュールが外部光源の変化を受けさせるようにできる。また筐体に開設した穴を通じて、外部光源を筐体内に透過させることできる。
【０００９】
上記照明器具の発光モジュールは、光源モジュールとレンズモジュールとを含むことができる。光源モジュールには等間隔方式で回路板に設置できる複数の発光素子と台座に固定される回路板とを備える。複数の発光素子は発光ダイオード（Ｌｉｇｈｔ−ｅｍｉｔｔｉｎｇ  Ｄｉｏｄｅ、ＬＥＤ）とすることができる。またレンズモジュールが光源モジュールを覆うと共に直接台座に締め付けられ、且つレンズモジュールは複数のレンズを備え、複数のレンズが個別に各発光素子に対応する。
【００１０】
その他の実施例において、上記照明器具の台座に通気孔が貫設され、また一方向の防水シートで覆う。一方向の防水シートは、外部の液体が台座の通気孔から台座とレンズモジュールの間に入り込むことを防止できるが、台座とレンズモジュール間の水蒸気を通気孔から発散させることもできる。これを介して、発光モジュールが発光照明過程において、温度の変化により台座とレンズモジュール間にこもった水蒸気を発散させることができる。つまり水蒸気により光源モジュールの複数の発光素子に影響してそれら発光素子に損壊を与えることを避ける。
【００１１】
本考案の別の概念に基づくと、上記照明器具は台座とレンズモジュールの間に設置されるウェザーストリップを含むことができる。ウェザーストリップは、水蒸気が台座とレンズモジュール接合部から発光モジュール内に入り込んで、台座とレンズモジュールに設置された光源モジュールに影響することを防止できる。
【００１２】
本考案の別の概念に基づくと、上記照明器具は台座に締め付けられる支持金具を含むことができる。支持金具は照明器具を支柱に固定するために用いられる。
【００１３】
本考案の別の概念に基づくと、上記光検出モジュールは光検出回路板に電気的に接続される光センサーと電源及び発光モジュールに電気的に接続される光検出回路板とを含むことができる。光センサーは外部光源を検出し、更に光検出回路板により発光モジュールのオン或いはオフを制御する。
【００１４】
本考案の別の概念に基づくと、上記照明器具のカバーに筐体に対応する場所に位置する貫通孔を備えることができる。次に、更にレンズを貫通孔内に貫設することで、外部光線がレンズを経由してカバー内に入射させると共に筐体まで直接照射できる。こうすることでカバー内、筐体内に設置される光検出モジュールは、外部環境の輝度を確実に受光することで、発光モジュールのオン或いはオフを制御できる。
【００１５】
本考案の別の概念に基づくと、上記照明器具は、筐体内に設置される雷害防止装置を含むことができる。雷害防止装置は、照明器具内の電源配線を保護し、落雷又は高すぎるサージ電流による照明器具回路の損壊を避けるために用いられる。
【図面の簡単な説明】
【００１６】
【図１】本考案の一実施例に係る照明器具立体図である。
【図２】本考案の一実施例に係る照明器具分解図である。
【図３】本考案の一実施例に係る照明器具の一部素子を示す図である。
【図４】本考案の一実施例に係る照明器具立体俯瞰図である。
【考案を実施するための形態】
【００１７】
本考案の一実施例に係る照明器具の立体図、分解図、及び一部素子を示す図である図１乃至図３を参照しながら説明する。図３は本実施例のカバーを取り外した時の態様を示す。
【００１８】
本実施例の照明器具１０は、台座１１と筐体１３と光検出モジュール１２と雷害防止装置１２３と発光モジュール１４とウェザーストリップ１４３と電源１７とカバー１６と支持金具１８と、を含む。
【００１９】
台座１１の一側に筐体１３、電源１７、及び支持金具１８が固定される。台座１１の他側に発光モジュール１４が固定される。支持金具１８は、照明器具１０を支柱に固定するために用いられる。筐体１３は上部筐体１３１及び下部筐体１３２に分けることができ、上部筐体１３１で下部筐体１３２上を嵌合すると共に台座１１に締め付ける。筐体１３内に光検出モジュール１２が設置される。光検出モジュール１２が外部環境の光源を受光させるため、本実施例において、上部筐体１３１を光透過型筐体とすることができる。
【００２０】
光検出モジュール１２は筐体１３内に設置されることで環境気候の影響を受けて損壊することを防止する。光検出モジュール１２は光センサー１２１と光検出回路板１２２とを含む。光センサー１２１が光検出回路板１２２に電気的に接続され、また光検出回路板１２２も発光モジュール１４と電源１７に電気的に接続される。光センサー１２１は、外部光源を検出し、更に光検出回路板１２２により発光モジュール１４のオン或いはオフを制御する。光検出モジュール１２は外部環境が一定の輝度を下回ったことを検出すると、発光モジュール１４をオンにして、十分な照明光源を提供できる。
【００２１】
雷害防止装置１２３も筐体１３内に設置されることができ、照明器具１０内の電源配線を保護し、落雷或いは高すぎるサージ電流による照明器具１０回路の損壊を避けるために用いられる。本実施例において、雷害防止装置１２３を光検出モジュール１２の光検出回路板１２２に構設される。実務上、筐体１３内に設置或いは台座１１上に固設される単一の雷害防止装置を使用できる。
【００２２】
発光モジュール１４が光検出モジュール１２及び電源１７に電気的に接続され、且つ発光モジュール１４は光源モジュール１４１とレンズモジュール１４２とを含む。光源モジュール１４１は等間隔方式で回路板１４１２に設置される複数の発光素子１４１１と回路板１４１２とを備える。本実施例において、各発光素子１４１１は発光ダイオード（Ｌｉｇｈｔ−ｅｍｉｔｔｉｎｇ  Ｄｉｏｄｅ、ＬＥＤ）とする。次に、回路板１４１２を台座１１に固定する。更にレンズモジュール１４２で光源モジュール１４１を覆うと共に台座１１に締め付けられる。レンズモジュール１４２は個別に各発光素子１４１１に対応する複数のレンズ１４２２を含む。本実施例において、複数のレンズ１４２２の設置方式は、光源モジュール１４１の複数の発光素子１４１１に対応するように設置される。つまり、各発光素子１４１１上でレンズ１４２２を対応して覆うことで、発光素子１４１１の光源を比較的大きな路面範囲に照射させることができる。この外に、発光モジュール１５を保守しようとする時、レンズモジュール１４２を取り外してから光源モジュール１４１の交換或いは修理できる。
【００２３】
ウェザーストリップ１４３は、台座１１とレンズモジュール１４２の間に設置される。ウェザーストリップ１４３は水蒸気が台座１１とレンズモジュール１４２の接合部から発光モジュール１４内に入り込んで、光源モジュール１４１に影響することを防止するために用いられる。また、台座１１に通気孔１１１が貫設され、通気孔１１１を一方向の防水シート１５で覆う。一方向の防水シート１５は外部液体が通気孔１１１から台座１１とレンズモジュール１４２の間に入り込むことを防止できるが、台座１１とレンズモジュール１４２間の水蒸気を通気孔１１１から発散させることもできる。
【００２４】
図２及び図４を一緒に参照しながら説明する。図４は本実施例の照明器具の立体俯瞰図である。図４を見て分かるように、カバー１６は台座１１の光検出モジュール１２及び電源１７を固設する一側まで覆う。カバー１６の縁端部も台座１１の縁端部まで延伸して覆う。これを介して台座１１に設置されている光検出モジュール１２と雷害防止装置１２３と電源１７と発光モジュール１４とを保護し、直射日光或いは雨に当って生じる損壊を避けることができる。カバー１６が台座１１まで嵌合、或いは固定具で台座１１に固定されるため、例えば光検出モジュール１２、雷害防止装置１２３或いは電源１７ような内部素子を修理、交換しようとする時、照明器具１０全てを取り外す必要がなく、カバー１６を直接外すことで内部素子を修理、交換できる。
【００２５】
この外に、カバー１６に貫通孔１６１を備え、貫通孔１６１は筐体１３に対応する箇所に位置する。レンズ１６２は貫通孔１６１内に貫設される。外部光源はレンズ１６２を経由してカバー１６内に発散されると共に筐体１３を直接照射できる。このように、カバー１６内に設置された筐体１３内の光検出モジュール１２は外部光源を受光することで、発光モジュール１４のオン或いはオフを制御できる。
【符号の説明】
【００２６】
１０      照明器具
１１      台座
１１１    通気孔
１２      光検出モジュール
１２１    光センサー
１２２    光検出回路板
１２３    雷害防止装置
１３      筐体
１３１    上部筐体
１３２    下部筐体
１４      発光モジュール
１４１    光源モジュール
１４１１  発光素子
１４１２  回路板
１４２    レンズモジュール
１４２２  レンズ
１４３    ウェザーストリップ
１５      一方向の防水シート
１６      カバー
１６１    貫通孔
１６２    レンズ
１７      電源
１８      支持金具
【図１】
0003182482.tif 000003
【図２】
0003182482.tif 000004
【図３】
0003182482.tif 000005
【図４】
0003182482.tif 000006